(57)【特許請求の範囲】
【請求項１】
プログレッシブ映像信号からインターレース映像信号を生成する映像信号生成手段と、
前記インターレース映像信号を第１の補間処理により第１の映像信号に変換する第１の変換手段と、
前記インターレース映像信号を前記第１の補間処理と異なる第２の補間処理により第２の映像信号に変換する第２の変換手段と、
前記第１の映像信号と前記プログレッシブ映像信号との差分と、前記第２の映像信号と前記プログレッシブ映像信号との差分とを比較することに応じて、前記第１の補間処理及び前記第２の補間処理のいずれか一つを示す所定の情報を生成する情報生成手段と、
前記インターレース映像信号と前記所定の情報とを記録媒体に記録する記録手段と、
前記記録媒体から読み出された所定の情報に応じて、前記記録媒体から読み出されたインターレース映像信号をプログレッシブ形式に変換する再生手段
とを有することを特徴とする映像伝送システム。
【請求項２】
前記第１の補間処理は、フィールド内補間を行うための処理を含むことを特徴とする請求項１に記載の映像伝送システム。
【請求項３】
前記第２の補間処理は、フィールド間補間を行うための処理を含むことを特徴とする請求項１または２に記載の映像伝送システム。
【請求項４】
前記所定の情報は、フィールド画面内の補間ラインの画素単位で生成されることを特徴とする請求項１から３のいずれか１項に記載の映像伝送システム。
【請求項５】
前記所定の情報は、フィールド画面単位で生成されることを特徴とする請求項１から３のいずれか１項に記載の映像伝送システム。
【請求項６】
前記所定の情報は、フィールド画面内の補間ライン単位で生成されることを特徴とする請求項１から３のいずれか１項に記載の映像伝送システム。
【請求項７】
前記再生手段は、前記記録媒体から読み出されたインターレース映像信号の動き及び所定の情報に応じて、前記記録媒体から読み出されたインターレース映像信号をプログレッシブ形式に変換することを特徴とする請求項１から６のいずれか１項に記載の映像伝送システム。
【請求項８】
前記映像信号生成手段は、前記プログレッシブ映像信号から生成された後に符号化が行われていないインターレース映像信号を生成することを特徴とする請求項１から７のいずれか１項に記載の映像伝送システム。
【請求項９】
前記映像信号生成伝送手段は、前記プログレッシブ映像信号から生成された後に符号化されてから復号されたインターレース映像信号を生成することを特徴とする請求項１から７のいずれか１項に記載の映像伝送システム。
【請求項１０】
前記プログレッシブ映像信号は、被写体を撮影する撮像手段から出力されることを特徴とする請求項１から９のいずれか１項に記載の映像伝送システム。
【請求項１１】
プログレッシブ映像信号からインターレース映像信号を生成するステップと、
前記インターレース映像信号を第１の補間処理により第１の映像信号に変換するステップと、
前記インターレース映像信号を前記第１の補間処理と異なる第２の補間処理により第２の映像信号に変換するステップと、
前記第１の映像信号と前記プログレッシブ映像信号との差分と、前記第２の映像信号と前記プログレッシブ映像信号との差分とを比較することに応じて、前記第１の補間処理及び前記第２の補間処理のいずれか一つを示す所定の情報を生成するステップと、
前記インターレース映像信号と前記所定の情報とを記録媒体に記録するステップと、
前記記録媒体から読み出された所定の情報に応じて、前記記録媒体から読み出されたインターレース映像信号をプログレッシブ形式に変換するステップ
とを有することを特徴とする映像伝送方法。
【発明の詳細な説明】
【技術分野】
【０００１】
本発明は、プログレッシブ映像信号を伝送、例えば、記録再生する映像伝送システム及び方法に関する。
【背景技術】
【０００２】
デジタル信号処理技術の進歩により、動画像、静止画像及び音声等、大量のデジタル情報を高能率符号化し、小型記録媒体への記録再生や、通信媒体を介したデータ伝送が可能になっている。このような技術を応用し、テレビ放送やビデオカメラの映像をストリームに変換する映像符号化装置の開発が行われている。
【０００３】
また、昨今、プラズマディスプレイや液晶ディスプレイなどの薄型フラットパネルを用いたテレビ受像機が急速に普及し、家庭で高精細な映像を再生できるようになってきた。これらのテレビ受像機の多くは、従来のインターレース方式の映像信号を表示するだけでなく、プログレッシブ形式の映像信号、即ちプログレッシブ映像信号も表示できる。インターレース映像信号とプログレッシブ映像信号の両方に対応するテレビ受像機は一般に、インターレース映像信号をプログレッシブ映像信号に変換するＩＰ変換回路を内蔵する。また、映像再生装置がＩＰ変換回路を内蔵し、インターレース出力とプログレッシブ出力を選択できることもある。なお、プログレッシブ映像信号をインターレース映像信号に変換する処理をＰＩ変換という。
【０００４】
図７は、ＩＰ変換機能を具備する従来の映像再生装置の概略構成ブロック図を示す。
【０００５】
記録媒体１１０から読み出される映像ストリームは、復号化回路１１２に供給される。この映像ストリームは、ＩＳＯ／ＩＥＣ１３８１８-２規格書又はＩＴＵ-ＴＨ．２６４規格書で定義された公知の方式に従う圧縮方式で、インターレース映像信号を圧縮符号化したものである。復号化回路１１２は、記録媒体１１０からのストリームデータを復号化し、インターレース映像信号を生成する。
【０００６】
図８は、インターレース映像信号の模式図を示す。６０分の１秒毎に、奇数ラインのみのフィールド画像（奇フィールド画像）と偶数ラインのみのフィールド画像（偶フィールド画像）が交互に現れる。そのため、半分の情報量で滑らかな動画を再現できる。しかし、各画面では垂直の解像度が半分になるので、チラツキなどの問題が指摘されている。このチラツキの問題を軽減するのに、ＩＰ変換が使用される。
【０００７】
復号化回路１１２から出力されるインターレース映像信号は、ＩＰ変換回路１１４と、ＩＰ変換回路１１６と、判定回路１２０に入力する。ＩＰ変換回路１１４，１１６は、どちらもインターレース映像信号をプログレッシブ映像信号に変換するが、その態様が異なる。ＩＰ変換回路１１４は、入力インターレース映像信号を構成する各フィールド画像に対し、同一フィールド内のラインを使うフィールド内補間によりプログレッシブ形式の映像信号、即ち、プログレッシブ映像信号を生成する。ＩＰ変換回路１１６は、入力インターレース映像信号を構成する各フィールド画像に対し、隣接するフィールドのラインを使うフィールド間補間によりプログレッシブ映像信号を生成する。
【０００８】
図９（ａ）は、ＩＰ変換回路１１４によるＩＰ変換の様子を示し、図９（ｂ）は、ＩＰ変換回路１１６によるＩＰ変換の様子を示す。ＩＰ変換回路１１４は、フィールド内のフィルタ処理によって、不足する画素ラインを生成する。図９（ａ）に示す例では、上下の画素値の平均を補間画素の画素値としている。ＩＰ変換回路１１６は、入力インターレース映像信号を構成する各フィールド画像に対し、隣接フィールド画像を利用する。図９（ｂ）に示す例では、直前のフィールド画像の不足するラインを、隣接するフィールドのラインで補間する。
【０００９】
フィールド内補間によるＩＰ変換は、同じ画面内の近接画素を使用して不足ラインを補間するので、十分な解像度が得られない。他方、フィールド間補間によるＩＰ変換は、時刻の異なるフィールドから補間しているので、動きの激しい映像の場合にブレが生じる。即ち、一長一短がある。
【００１０】
判定回路１２０は、復号化回路１１２から供給されるインターレース映像信号から映像の動きを判定し、判定結果によりセレクタ１１８を制御する。セレクタ１１８は、判定回路１２０の判定結果に基づき、動きの多い映像に対してＩＰ変換回路１１４の出力を選択し、そうでない映像に対してＩＰ変換回路１１６の出力を選択する。セレクタ１１８は、選択したプログレッシブ映像信号を出力端子１２２に出力する。判定回路１２０における判定は、フィールド単位で行っても良いし、補間する画素単位で行っても良い。
【００１１】
プログレッシブ画像の高精細化のため、プログレッシブ映像を生成するときに動き情報を用いる順次走査変換装置が、提案されている（例えば、特許文献１参照。）。
【特許文献１】特開２００６-３０４０９６号公報
【発明の開示】
【発明が解決しようとする課題】
【００１２】
従来例は、二種類のＩＰ変換回路を用意し、映像の動きの有無に応じてその出力を選択することで、ブレが少なく、且つ解像度の高い映像信号を生成する。しかし、判定回路１２０の判定結果が常に正しいとは限らず、解像度が高い場合に誤判定を招きやすく、その影響も大きい。動きが少ないにもかかわらず、解像度の高さ故に動きがあると誤判定することがある。また、反対に、動きが多いのにもかかわらず、動きが少ないと誤判定したりすることがある。例えば、インターレース映像における細かな横縞模様は、本当に横縞なのか、それとも動きによって生じたものなのかの判定は、極めて困難である。
【００１３】
従来の映像再生装置の中には、非常に複雑な回路による動き検出や、何枚ものフレームバッファにより時間軸上の動き履歴の分析により、誤判定を軽減しようとするものがある。しかしながら、装置の規模が非常に大きくなるにもかかわらず、結局のところ、原理的にインターレース映像から動きを判定することは難しい。その結果、得られるプログレッシブ映像信号の映像品質が十分ではなかった。
【００１４】
また、昨今、プログレッシブ映像出力のビデオカメラや、地上デジタル放送等で、プログレッシブ映像信号を入手できるようになった。しかし、そのプログレッシブ映像信号をプログレッシブ映像のまま伝送、例えば、記録再生できる伝送システムは、十分には整備されていない。その場合、ＩＰ変換を経てインターレース映像として伝送するしかなく、再生出力時又は映像表示の際にプログレッシブ映像に変換することになる。ＰＩ変換とＩＰ変換を経ることで、しばしば画質が大幅に劣化する。
【００１５】
本発明は、ＰＩ変換及びＩＰ変換を経る場合に、これらの変換による画質劣化を低減する映像伝送システム及び方法を提示することを目的とする。
【課題を解決するための手段】
【００１６】
本発明に係る映像伝送システムは、プログレッシブ映像信号からインターレース映像信号を生成する映像信号生成手段と、前記インターレース映像信号を第１の補間処理により第１の映像信号に変換する第１の変換手段と、前記インターレース映像信号を前記第１の補間処理と異なる第２の補間処理により第２の映像信号に変換する第２の変換手段と、前記第１の映像信号と前記プログレッシブ映像信号との差分と、前記第２の映像信号と前記プログレッシブ映像信号との差分とを比較することに応じて、前記第１の補間処理及び前記第２の補間処理のいずれか一つを示す所定の情報を生成する情報生成手段と、前記インターレース映像信号と前記所定の情報とを記録媒体に記録する記録手段と、前記記録媒体から読み出された所定の情報に応じて、前記記録媒体から読み出されたインターレース映像信号をプログレッシブ形式に変換する再生手段とを有することを特徴とする。
【００１７】
本発明に係る映像伝送方法は、プログレッシブ映像信号からインターレース映像信号を生成するステップと、前記インターレース映像信号を第１の補間処理により第１の映像信号に変換するステップと、前記インターレース映像信号を前記第１の補間処理と異なる第２の補間処理により第２の映像信号に変換するステップと、前記第１の映像信号と前記プログレッシブ映像信号との差分と、前記第２の映像信号と前記プログレッシブ映像信号との差分とを比較することに応じて、前記第１の補間処理及び前記第２の補間処理のいずれか一つを示す所定の情報を生成するステップと、前記インターレース映像信号と前記所定の情報とを記録媒体に記録するステップと、前記記録媒体から読み出された所定の情報に応じて、前記記録媒体から読み出されたインターレース映像信号をプログレッシブ形式に変換するステップとを有することを特徴とする。
【発明の効果】
【００１８】
本発明によれば、ＰＩ変換及びＩＰ変換に伴う画像劣化を低減できる。
【発明を実施するための最良の形態】
【００１９】
以下、図面を参照して、本発明の実施例を詳細に説明する。
【実施例１】
【００２０】
図１は、本発明に係る映像伝送システムの一実施例の記録系部分の概略構成ブロック図を示す。映像入力端子１０には、外部からプログレッシブ映像信号が入力する。入力したプログレッシブ映像信号は、映像入力端子１０から、フィールド間引き回路１２とＩＰ変換補助情報生成回路１４に供給される。
【００２１】
フィールド間引き回路１２は、映像入力端子１０から入力されるプログレッシブ映像信号をフィールド毎に奇数ライン又は偶数ラインを間引いて、インターレース映像信号に変換する。フィールド間引き回路１２は、インターレース映像信号生成手段である。映像符号化回路１６は、フィールド間引き回路１２により生成されるインターレース映像信号を公知の動画圧縮方式で符号化して映像ストリームを生成する。生成された映像ストリームは、記録媒体１８に記録される。
【００２２】
ＩＰ変換補助情報生成回路１４は、映像入力端子１０からのプログレッシブ映像信号とフィールド間引き回路１２からのインターレース映像信号とを比較し、その比較結果に従い当該インターレース映像信号をＩＰ変換する際の補助情報を生成する。
【００２３】
図２は、ＩＰ変換補助情報生成回路１４の回路構成例を示す。ＩＰ変換回路２２は、フィールド間引き回路１２からのインターレース映像信号をフィールド内補間によりプログレッシブ形式の映像信号に変換する。ＩＰ変換回路２４は、フィールド間引き回路１２からのインターレース映像信号を近接フィールドからの補間によりプログレッシブ形式の映像信号に変換する。
【００２４】
差分器２６は、ＩＰ変換回路２２の出力プログレッシブ映像信号から映像入力端子１０からのプログレッシブ映像信号を減算する。他方、差分器２８は、ＩＰ変換回路２４の出力プログレッシブ映像信号から映像入力端子１０からのプログレッシブ映像信号を減算する。比較器３０は、フィールド画面単位、補間ライン単位、又は各補間ラインの画素単位で差分器２６，２８の出力の大きさを比較し、どちらが小さいかを示す信号を出力する。比較器３０の出力が補助情報となる。即ち、補助情報は、フィールド間引き回路１２により生成されたインターレース映像信号をプログレッシブ化する際に、フィールド内補間とフィールド間補間のどちらを使うべきかを示す。補助情報は、フィールド画面単位、フィールド画面内の補間ライン単位、又は、補間ラインの画素単位のいずれでもよいが、後のほうほど、高い画質が得られる。
【００２５】
ＩＰ変換回路２２の伝達特性を、再生装置又は表示装置でのＩＰ変換でのフィールド内補間のＩＰ変換回路の伝達特性と近似させ、又は好ましくは一致させておくことは勿論である。同様に、ＩＰ変換回路２４の伝達特性を、再生装置又は表示装置でのＩＰ変換でのフィールド間補間のＩＰ変換回路の伝達特性と近似させ、又は好ましくは一致させておく。
【００２６】
補助情報符号化回路２０は、ＩＰ変換補助情報生成回路１４により生成された補助情報を符号化する。符号化された補助情報は、映像ストリームに多重化されて、記録媒体１８に記録される。勿論、符号化された補助情報は、対応する映像ストリームの再生時に参照できればよく、映像ストリームと分離して記録媒体１８に記録されてもよい。本実施例では、補助情報は、フィールド画面単位、補間ライン単位、又は、各補間ラインの画素単位で、２つの補間方法のどちらが良いかを示す１ビット情報であるので、全データ量は、映像ストリームのそれに比べれば、格段に少ない。
【００２７】
映像入力端子１０を、プログレッシブ映像信号を出力する撮像部に置換することで、図１に示す実施例は、プログレッシブ映像で被写体を撮影し、インターレース映像で記録媒体に記録するビデオカメラ又は撮像装置を構成する。
【００２８】
図３は、再生系の概略構成ブロック図を示す。記録媒体４０には、記録媒体１８と同様に、映像符号化回路１６により生成された映像ストリームと、ＩＰ変換補助情報生成回路１４により生成され、補助情報符号化回路２０で符号化された補助情報が、記録されている。
【００２９】
映像復号化回路４２は、記録媒体４０から読み出した映像ストリームを復号化し、再生インターレース映像信号を出力する。ＩＰ変換回路４４は、映像復号化回路４２からの再生インターレース映像信号をフィールド内補間によりプログレッシブ信号に変換する。ＩＰ変換回路４６は、映像復号化回路４２からの再生インターレース映像信号を近接フィールドからの補間によりプログレッシブ信号に変換する。先に説明したように、ＩＰ変換回路４４の伝達特性は、ＩＰ変換回路２２の伝達特性と近似し、又は好ましくは一致する。同様に、ＩＰ変換回路４６の伝達特性はＩＰ変換回路２４の伝達特性と近似し、又は好ましくは一致する。ＩＰ変換回路４４，４６の出力プログレッシブ信号は、セレクタ４８に供給される。
【００３０】
補助情報復号化回路５０は、記録媒体４０から読み出された符号化された補助情報を復号化し、判定回路５２に供給する。補助情報は、図２を参照して説明したように、どちらのＩＰ変換結果が本来のプログレッシブ映像に近似しているかを事前に判定した結果である。判定回路５２は、補助情報復号化回路５０からの補助情報に従いセレクタ４８を制御し、補助情報から見てより画質の良いプログレッシブ映像信号を選択させる。セレクタ４８で選択されたプログレッシブ映像信号は、映像出力端子５４から外部に出力される。
【００３１】
このように、本実施例では、記録の際のＰＩ変換に対して予め好ましいＩＰ変換方法を判定し、この判定結果（補助情報）を参照して、再生の際のＩＰ変換方法を選択する。これにより、本来の画質に近い良好な画質のプログレッシブ映像を得ることができる。
【実施例２】
【００３２】
図４は、ＩＰ変換補助情報生成回路１４の別の回路例を示す。図５は、図４に示す回路で生成した補助情報に対する再生装置の概略構成ブロック図を示す。
【００３３】
図４に示すＩＰ変換補助情報生成回路１４の動作を説明する。ＩＰ変換回路６０は、フィールド間引き回路１２からのインターレース映像信号をフィールド内補間によりプログレッシブ信号に変換する。ＩＰ変換回路６２は、フィールド間引き回路１２からのインターレース映像信号を近接フィールドからの補間によりプログレッシブ信号に変換する。ＩＰ変換回路６０，６２から出力されるプログレッシブ映像信号は、セレクタ６４に供給される。
【００３４】
判定回路６６は、フィールド間引き回路１２からのインターレース映像信号から、フィールド内補間（ＩＰ変換回路６０）とフィールド間補間（ＩＰ変換回路６２）のどちらが好ましいかを判定する。判定回路６６は、判定結果に従いセレクタ６４を制御し、ＩＰ変換回路６０，６２の出力信号の内、好ましいプログレッシブ映像信号を差分器６８に、好ましくないプログレッシブ映像信号を差分器７０に供給させる。
【００３５】
差分器６８は、セレクタ６４からの好ましいプログレッシブ映像信号から映像入力端子１０からのプログレッシブ映像信号を減算する。他方、差分器７０は、セレクタ６４からの好ましくないプログレッシブ映像信号から映像入力端子１０からのプログレッシブ映像信号を減算する。比較器７２は、フィールド画面単位、補間ライン単位、又は各補間ラインの画素単位で差分器６８，７０の出力の大きさを比較し、どちらが小さいかを示す信号を出力する。比較器７２の出力が補助情報となる。この補助情報は、判定回路６６による判定の妥当性、即ち正しいか否かを示す。即ち、差分器６８の出力の方が差分器７０の出力より小さい場合、補助情報は、判定回路６６の判定結果通りの補間方法を選択すれば良いことを示す。逆に、差分器７０の出力の方が差分器６８の出力以下の場合、補助情報は、判定回路６６の判定結果とは異なる補間方法を選択すべきことを示す。
【００３６】
図５を参照して、再生動作を説明する。記録媒体８０には、映像符号化回路１６により生成された映像ストリームと、図４に示す構成のＩＰ変換補助情報生成回路１４により生成され、補助情報符号化回路２０で符号化された補助情報が、記録されている。
【００３７】
映像復号化回路８２は、記録媒体８０から読み出した映像ストリームを復号化し、再生インターレース映像信号を出力する。ＩＰ変換回路８４は、映像復号化回路８２からの再生インターレース映像信号をフィールド内補間によりプログレッシブ信号に変換する。ＩＰ変換回路８６は、映像復号化回路８２からの再生インターレース映像信号を近接フィールドからの補間によりプログレッシブ信号に変換する。先に説明したように、ＩＰ変換回路８４の伝達特性は、ＩＰ変換回路６０の伝達特性と近似し、又は好ましくは一致する。同様に、ＩＰ変換回路８６の伝達特性はＩＰ変換回路６２の伝達特性と近似し、又は好ましくは一致する。ＩＰ変換回路８４，８６の出力プログレッシブ信号は、セレクタ８８に供給される。
【００３８】
補助情報復号化回路９０は、記録媒体８０から読み出された符号化された補助情報を復号化し、判定回路９２に供給する。判定回路９２には更に、映像復号化回路８２から再生インターレース映像信号が入力する。判定回路９２は、映像復号化回路８２からの再生インターレース映像信号から動きの有無を判定する。この段階の判定結果は、記録の際の判定回路６６の判定結果と等しい。判定回路９２は、更に、補助情報復号化回路９０からの補助情報を加味して、最終的に、ＩＰ変換回路８４，８６の出力のどちらを選択すべきかを決定する。即ち、ＩＰ変換に適用すべき補間方法が決定される。判定回路９２は、最終的な決定に従い、決定された補間方法による再生プログレッシブ映像信号を選択するようにセレクタ８８を制御する。セレクタ８８で選択されたプログレッシブ映像信号は、映像出力端子９４から外部に出力される。
【００３９】
補助情報は、先に説明したように、判定回路６６の判定結果を採用すべきか、この判定結果とは逆の結果を採用すべきかを示している。判定回路９２は、補助情報を参照することで、より適切な再生プログレッシブ映像信号をセレクタ８８に選択させることができる。具体的には、判定回路９２は、先ず、動き判定で動きがあると判定されたときにはＩＰ変換回路８４を選択し、動きが無い（少ない）と判定されたときにはＩＰ変換回路８６を選択する。この一次判定結果に対して、補助情報が判定回路６６の判定結果の採用を示す場合には、判定回路９２は、一次判定結果をそのまま最終判定結果とする。逆に、補助情報が判定回路６６の判定結果の不採用を示す場合には、判定回路９２は、一次判定結果とは逆の結果を最終判定結果とする。判定回路９２の判定単位（フィールド、補間ライン、又は、補間ラインの画素）は、補助情報の判定単位と同じである。伝送エラー等で補助情報が欠落したり、信頼性を失った場合には、判定回路９２は、再生インターレース映像信号の動き判定結果に従いセレクタ８８を制御する。
【実施例３】
【００４０】
図６は、本発明の実施例３の記録系の概略構成ブロック図を示す。図１と同じ構成要素には同じ符号を付してある。
【００４１】
映像復号化回路９６は、映像符号化回路１６により符号化された映像ストリームを復号化してインターレース映像信号を生成し、ＩＰ変換補助情報生成回路９８に供給する。図１に示す実施例のＩＰ変換補助情報生成回路１４は、符号化前のインターレース映像信号とプログレッシブ映像信号との比較から補助情報を生成した。これに対し、ＩＰ変換補助情報生成回路９８は、符号化・復号化して得られるインターレース映像信号をプログレッシブ映像信号と比較して、補助情報を生成する。符号化と復号化を経た映像信号を用いるので、符号化による劣化を考慮した判定により補助情報を生成する。すなわち、映像再生装置におけるＩＰ変換前の同じインターレース映像信号を使って適切な補助情報を決定でき、その結果、再生側でも適切なＩＰ変換方法を採用できる。
【００４２】
ＩＰ変換補助情報生成回路９８の構成自体は、ＩＰ変換補助情報生成回路１４のそれと同じである。再生側は、図３又は図５に示す構成からなる。
【００４３】
上記各実施例の構成では、符号化前のプログレッシブ映像信号からＩＰ変換方法を決定する補助情報を生成するので、ＩＰ変換方法の誤判定が極めて少ない。また、ＩＰ変換方法を判定する回路を小規模化することができ、小さな回路規模で好適なプログレッシブ変換を実現できる。
【図面の簡単な説明】
【００４４】
【図１】本発明の一実施例の記録系部分の概略構成ブロック図を示す。
【図２】ＩＰ変換補助情報生成回路１４の回路構成例を示す。
【図３】本実施例の再生系の概略構成ブロック図を示す。
【図４】ＩＰ変換補助情報生成回路１４の別の回路例を示す。
【図５】図４に示すＩＰ変換補助情報生成回路で生成した補助情報に対する再生装置の概略構成ブロック図を示す。
【図６】本発明の実施例３の記録系の概略構成ブロック図を示す。
【図７】ＩＰ変換機能を具備する従来の映像再生装置の概略構成ブロック図を示す。
【図８】インターレース映像信号の模式図を示す。
【図９】ＩＰ変換方法の説明図であり、（ａ）はフィールド内補間、（ｂ）はフィールド間補間をそれぞれ示す。
【符号の説明】
【００４５】
１０：映像入力端子
１２：フィールド間引き回路
１４：ＩＰ変換補助情報生成回路
１６：映像符号化回路
１８：記録媒体
２０：補助情報符号化回路
２２，２４：ＩＰ変換回路
２６，２８：差分器
３０：比較器
４０：記録媒体
４２：映像復号化回路
４４，４６：ＩＰ変換回路
４８：セレクタ
５０：補助情報復号化回路
５２：判定回路
５４：映像出力端子
６０，６２：ＩＰ変換回路
６４：セレクタ
６６：判定回路
６８，７０：差分器
７２：比較器
８０：記録媒体
８２：映像復号化回路
８４，８６：ＩＰ変換回路
８８：セレクタ
９２：判定回路
９４：映像出力端子
９０：補助情報復号化回路
９６：映像復号化回路
９８：ＩＰ変換補助情報生成回路
１１０：記録媒体
１１２：復号化回路
１１４，１１６：ＩＰ変換回路
１１８：セレクタ
１２０：判定回路
１２２：出力端子
【図１】
0004948358.tif 000002
【図２】
0004948358.tif 000003
【図３】
0004948358.tif 000004
【図４】
0004948358.tif 000005
【図５】
0004948358.tif 000006
【図６】
0004948358.tif 000007
【図７】
0004948358.tif 000008
【図８】
0004948358.tif 000009
【図９】
0004948358.tif 000010